(57)【要約】【課題】デジタル放送受信端末において、電波状況の良くない場合に映像や音声の乱れを目立たなくし、改善するための情報をユーザに提示することを可能とする。【解決手段】放送信号を含む放送電波を受信する信号受信部と、受信した放送信号を分離してストリーム信号を生成するデマルチプレクサと、生成したストリーム信号をデコードするデコーダ部と、受信した放送信号にエラーがあるかどうかを検出するエラー検出手段と、エラー検出手段で検出したエラーの程度を判定するエラー判定部と、映像や音声とともに、エラー判定部での判定結果に応じて、その状況を改善するための情報を表示する出力部と、を備える。【選択図】図１
2007208384.tif 000002
【特許請求の範囲】
【請求項１】
放送信号を含む放送電波を受信する信号受信部と、
前記受信した放送信号を分離してストリーム信号を生成するデマルチプレクサと、
前記生成したストリーム信号をデコードするデコーダ部と、
前記受信した放送信号にエラーがあるかどうかを検出するエラー検出手段と、
前記エラー検出手段で検出したエラーの程度を判定するエラー判定部と、
映像や音声とともに、前記エラー判定部での判定結果に応じて、その状況を改善するための情報を表示する出力部と、
を備えるデジタル放送受信端末。
【請求項２】
前記エラー検出手段は、前記デコーダ部に含まれ、前記ストリーム信号をデコードする際に発生するエラーを検出する、
請求項１に記載のデジタル放送受信端末。
【請求項３】
前記エラー検出手段は、前記信号受信部に含まれ、前記受信した放送信号のエラーレート又はビット誤り率として取得する、
請求項１に記載のデジタル受信端末。
【請求項４】
前記エラー検出手段は、前記デコーダ部および前記信号受信部に含まれ、前記エラー検出手段で検出したエラーの程度を組み合わせで判定するエラー判定部と、を備える、
請求項１に記載のデジタル受信端末。
【請求項５】
前記エラー判定部での判定結果に応じて、前記受信した放送信号から取得した画像データのサイズを小さくし、前記出力部に表示する、
請求項１〜４のいずれかに記載のデジタル受信端末。
【請求項６】
前記エラー判定部での判定結果に応じて、前記受信した放送信号から取得した音声データの音量を小さくし、前記出力部に出力する、
請求項１〜５のいずれかに記載のデジタル受信端末。
【請求項７】
前記信号受信部はホイップアンテナを含み、
前記出力部は、前記ホイップアンテナが収納状態のとき、前記エラー判定部での判定結果に応じて、前記ホイップアンテナを伸ばすように促す情報を表示する、
請求項１〜６のいずれかに記載のデジタル受信端末。
【請求項８】
前記信号受信部で受信する放送信号の選局を行い、チャンネルサーチ機能を有する選局手段をさらに備え、
前記出力部は、前記エラー判定部での判定結果に応じて、前記選局手段でチャンネルサーチを行うよう促す情報を表示する、
請求項１〜６のいずれかに記載のデジタル受信端末。
【請求項９】
前記信号受信部で受信する放送信号の選局を行い、チャンネルサーチ機能を有する選局手段をさらに備え、
前記信号受信部はホイップアンテナを含み、
前記出力部は、前記ホイップアンテナが収納状態のとき、前記エラー判定部での判定結果が軽微なエラー状況を示す場合、前記ホイップアンテナを伸ばすように促す情報を表示する一方、前記エラー判定部での判定結果が深刻なエラー状況を示す場合、前記選局手段でチャンネルサーチを行うよう促す情報を表示する、
請求項１〜６のいずれかに記載のデジタル受信端末。
【発明の詳細な説明】
【技術分野】
【０００１】
本発明は、デジタル放送を受信可能な装置に係る発明である。
【背景技術】
【０００２】
映像、音声、テキスト、および管理情報などから成るコンテンツをデジタルストリームとして提供するデジタル放送が順次実用化されている。例えば、ＢＳデジタル放送およびＣＳデジタル放送に加え、地上デジタル放送が開始されている。また、携帯端末で受信するための専用放送として帯域が限定されたワンセグ放送も近々開始され、とくに携帯電話との融合が期待されている。
【０００３】
デジタル放送では、アナログ放送と比較して、映像、音声の再生劣化が少ないＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が採用されており、安定して受信できることが期待されている。
しかし、公共機関の車両内や高層ビルの谷間、受信エリアを越えた場合には電波が悪化し、それに伴い映像、音声共に劣化することもあるため、ユーザは故障かと不安を感じたり不快感を覚えたりする。
【０００４】
そのため、電波の弱い地域に向かって電波を再送信して補うギャップフィラーという技術や、車両の上に備えられたアンテナを介して車内に送信する方法が開示されている。
しかし、広範囲での施設の整備が必要となるため、放送事業者の自助努力による整備が原則であり、コストの問題や自治体、住民等との協力体制が必要となるため、早期の導入は困難である。
【特許文献１】特開平１１−６８６８３号公報
【発明の開示】
【発明が解決しようとする課題】
【０００５】
そこで本発明は、放送事業者に負担をかけることなく、電波状況が悪化した場合に状況を改善、もしくは回避するための情報を提示することでユーザが便利にかつ安心して使用できることを目的とする。また、電波状況が悪化した場合には映像、音声の劣化を目立たなくすることでユーザに対する不快感を和らげることを目的とする。
【課題を解決するための手段】
【０００６】
上記目的を達成するために、本発明は、放送信号を含む放送電波を受信する信号受信部と、前記受信した放送信号にエラーがあるかどうかを検出するエラー検出手段と、前記エラー検出手段で検出したエラーの程度を判定するエラー判定部と、前記エラー判定部での判定結果に応じて、その状況を改善するための情報を表示する出力部とを備える。
【発明の効果】
【０００７】
本発明によれば、電波状況が悪化した場合に状況を改善、もしくは回避するための情報を提示することでユーザが便利にかつ安心して使用できるようになる。また、電波状況が悪化した場合には映像、音声の劣化を目立たなくすることでユーザに対する不快感を和らげられる。
【発明を実施するための最良の形態】
【０００８】
以下に、図面を参照して、本発明の実施の形態に係るデジタル放送受信端末について説明する。
【０００９】
図１に示すように、本発明の実施の形態に係るデジタル放送受信端末１００は、受信アンテナ５０、信号受信部１０１、デマルチプレクサ１０２、デコーダ部１０３、エラー検出手段１０４、エラー判定部１０５、データ加工部１０６、出力部１０７、ＣＰＵ（Ｃｅｎｔｒａｌ  Ｐｒｏｃｅｓｓｉｎｇ  Ｕｎｉｔ）１５０、タイマー１６０で構成される。
【００１０】
まず、電波を受信してから映像および音声出力までの流れを示す。デジタル放送波は受信アンテナ５０で受信し、受信したデジタル放送波は信号受信部１０１によって復号化する。デジタル放送波から復号化したトランスポートストリームはデマルチプレクサ１０２によって映像および音声ストリームに分割する。分割した映像および音声ストリームはデコーダ部１０３によってデコードし、デコード済みの映像および音声データをデータ加工部１０６によって加工する。加工内容としては、映像の場合は液晶などの映像出力デバイスの規格に沿ったサイズに調整し、音声の場合はユーザによる音量調整値に合わせることなどが挙げられる。加工した映像データは出力部１０７によってメニュー画面などのＯＳＤ（Ｏｎ  Ｓｃｒｅｅｎ  Ｄｉｓｐｌａｙ）画面と合成して液晶などの映像出力デバイスに出力し、音声データも出力部１０８によってスピーカやヘッドフォンなどの音声出力デバイスに出力する。映像および音声の出力については、以下、第１の実施形態と第２の実施形態にて説明する。
【００１１】
（第１の実施形態）
以下に、電波状況が悪化した場合の映像出力方法を図２のフローＦ１を用い、本明細書の第１の実施の形態に係るデジタル放送受信端末について説明する。エラー検出手段１０４によって最初にエラーが検出された場合、まず、タイマー１６０を起動し、ｔ＝０秒にセットする（ステップＳ２００）。次に、タイマーを起動してからｎ秒を超えたかどうかを確認する（ステップＳ２０１）。ｎは任意であるが、ｎ＝０の場合はすぐに「はい」となる。ステップＳ２０１にて「はい」の場合、エラー判定部１０５にて、エラー検出手段１０４によって検出されたエラーの種類ごとに有益な映像や音声の乱れを改善するためのアドバイスを選択（ステップＳ２０２）し、出力部１０７によって映像と合成して提示する（ステップＳ２０３）。ステップＳ２０１にて「いいえ」の場合（すなわちタイマーを起動してからまだｎ秒を超えていない場合）は映像のみを出力する（ステップＳ２０５）。その後、再びエラー検出手段１０４によってエラーが検出された場合はステップＳ２０１に戻り（ステップＳ２０６）、検出されなかった場合はタイマーを終了し（ステップＳ２０７）、電波状況が良好な場合の処理に戻る。ステップＳ２０３によって情報提示と画像出力が完了すると、タイマーを終了（ステップＳ２０４）した後、図３に示すフローＦ２に移行する（ステップＳ２０８）。
【００１２】
エラー検出手段１０４は、例えば、信号受信部１０１に含まれ、ＣＮ比（Ｃａｒｒｉｅｒ  ｔｏ  Ｎｏｉｓｅ  Ｒａｔｉｏ）やＢＥＲ（Ｂｉｔ  Ｅｒｒｏｒ  Ｒａｔｅ）値として検出できる。また、エラー検出手段１０４は、デコーダ部１０３に含まれ、デコード失敗などのエラー情報として検出することも考えられる。
【００１３】
エラー判定部１０５は、例えば得られたＣＮ比やＢＥＲ値の値に閾値を設けることでエラーの程度を判定したり、値の継続時間によって判定したりすることが考えられる。また、エラー内容がデコーダ部１０３からの情報であれば、デコード失敗箇所に応じてエラーの程度を判定することが考えられ、さらにＣＮ値やデコード状況を組み合わせて判定することも考えられる。
【００１４】
次に、情報提示中の処理（フローＦ２）について図３を用いて説明する。継続してエラー検出手段１０４によってエラーが検出された場合は「エラーあり」、検出されなかった場合には「エラーなし」となる（ステップＳ２５０）。ステップＳ２５０によって「エラーあり」となった場合、エラー判定部１０５にて改善アドバイスを判定（Ｓ２５１）し、以前の情報から変更がある場合には変更された情報を、変更がない場合には継続してアドバイスを映像とともに提示する（ステップＳ２５２）。「エラーなし」の場合は映像のみを出力（ステップＳ２５４）し、電波状況が良好な場合の処理に戻る。
【００１５】
次に、出力部１０７による情報提示および映像出力例を図４に示す。デジタル放送受信端末３００はデジタル放送受信端末１００の外観図であり、映像出力デバイス３０１、受信アンテナ３０２、操作キー３０３を示している。このときの映像３０４はデータ加工部１０６によって映像出力デバイス３０１と同じサイズに調整している。提示する情報は情報パネル３０５に示す。図４は「見通しのよい場所に移動してください」です、というようなメッセージを表示した例である。
【００１６】
以上のように、本発明のデジタル放送受信端末によれば、放送事業者に負担をかけることなく、電波状況が悪化した場合に状況を改善、もしくは回避するための情報を提示することでユーザが便利にかつ安心して使用できるようになる。
【００１７】
（第２の実施形態）
以下に、電波状況が悪化した場合の映像出力方法を図２のフローＦ１を用い、本明細書の第２の実施の形態に係るデジタル放送受信端末について説明する。
【００１８】
電波状況が悪化した場合の映像出力サイズとして、第１の実施の形態では、デコード済みの映像をデータ加工部１０６によって映像出力デバイスの規格に沿ったサイズに調整していたが、第２の実施の形態においては、エラー判定部１０５にて、エラー検出手段１０４によって検出されたエラーの種類ごとに有益な映像や音声の乱れを改善するためのアドバイスを選択（ステップＳ２０２）するとともに、出力する映像サイズを決定する。例えば、映像に若干のエラーが含まれている場合には少しだけ小さいサイズに縮小し、エラー率が高い場合には乱れが目立たないようにするためにかなり小さいサイズに縮小する。音声に関しては、例えば音量を小さくしたり、完全にミュートしたりすることが考えられる。
【００１９】
図５には、エラー判定部１０５にて、エラー検出手段１０４によって検出されたエラーの種類に対し、電波状況が若干良くないと判定された場合の出力部１０７による情報提示および映像出力例を示す。この場合、映像４０４は、データ加工部１０６によって映像出力デバイス３０１よりも小さいサイズに調整して出力し、音声に関しては良好な場合の音量よりも小さくして出力する。このとき、情報パネル４０５には、もし受信アンテナ３０２が閉じられた状態であった場合には「アンテナを伸ばしてください」というようなメッセージを表示する。受信アンテナ３０２が既に伸ばされている場合には「見通しのよい場所に移動してください」などのアドバイスを提示する。
【００２０】
図６には、エラー判定部１０５にて、エラー検出手段１０４によって検出されたエラーの種類に対し、図５よりも電波状況が良くないと判定された場合の出力部１０７による情報提示および映像出力例を示す。この場合、映像５０４は、データ加工部１０６によって図５の映像４０４よりもさらに小さいサイズに調整して出力し、音声に関しては完全にミュートする。このとき、情報パネル５０５には、例えば「受信しにくくなっています。ｍ分間続いたら他のチャネルをサーチしてもよろしいですか？」というようなメッセージを表示する。このときキー３０３の該当部分が押下されるとユーザの了解を得たことになり、ｍ分間エラーが継続して改善の見込みがない場合には自動的に他の良好なチャンネルをサーチする。
【００２１】
図７には、エラー判定部１０５にて、エラー検出手段１０４によって検出されたＣＮ比やＢＥＲ値が非常に悪いと判定された場合の出力部１０７による情報提示および映像出力例を示す。このとき信号受信部１０１にはほとんど信号が入らないため、映像６０４は、ブラックアウトした画像とし、データ加工部１０６によって図６の映像５０４よりもさらに小さいサイズに調整する。このとき、情報パネル６０５には「受信できません。他のチャンネルをサーチしますか？」というようなメッセージを表示し、即座に他のチャネルを探すことを提案する。このときキー３０３の該当部分が押下されるとユーザの了解を得たことになり、他の良好なチャンネルをサーチする。
【００２２】
以上のように、本発明のデジタル放送受信端末によれば、電波状況が悪化した場合に状況を改善、もしくは回避するための情報を提示することでユーザが便利にかつ安心して使用できるようになるとともに、映像、音声を加工出力することで劣化を目立たなくすることで不快感を和らげることができる。
【００２３】
なお、本発明はエラー検出手段１０４の場所を限定するものではない。また、エラー判定部１０５の手段を限定するものではない。
【００２４】
なお、タイマー１６０はＣＰＵ１５０に含まれていてもよいし、ＣＰＵ１５０によるソフトウェア制御であってもよい。また、タイマー１６０は、時間ではなく、何回発生したか、というカウンタであってもよいし、時間とカウンタとの組み合わせであってもよい。
【００２５】
なお、デコーダ部１０３、データ加工部１０６、出力部１０７は、映像および音声専用に異なるものであってもよい。
【００２６】
なお、デコーダ部１０３、データ加工部１０６、出力部１０７は一体型であってもよい。
【００２７】
なお、情報パネル３０５、４０５、５０５、６０５の文字列は言い回しを限定するものではない。
【００２８】
なお、受信アンテナ３０２の伸縮状態を確認できない場合には「アンテナ、受信エリアを確認してください」と提示するのも良い。
【００２９】
なお、ｍ分間は一例であり、即座にサーチしても構わないし、メッセージの代わりにサーチ済みのチャンネルリストを提示しても構わない。
【００３０】
なお、実施例ではテレビジョン放送を想定しているが、無線ＬＡＮやＰＨＳ、携帯電話のような通信ネットワークによる動画配信であっても構わない。また、受信アンテナ５０の代わり有線ＬＡＮ入力であっても構わない。
【産業上の利用可能性】
【００３１】
本発明にかかるデジタル放送受信装置は、デジタル放送受信機能を搭載した携帯端末や小型プレーヤに利用することが可能である。
【図面の簡単な説明】
【００３２】
【図１】本発明の実施の形態に係るデジタル放送受信端末の構成を示すブロック図
【図２】エラー検出手段１０４にてエラー検出された場合の出力部１０７への出力方法を示すフローチャート
【図３】エラー判定部１０５にてエラー判定された場合の出力部１０７への出力方法を示すフローチャート
【図４】第１の実施形態において電波状況が若干良くない場合の出力部１０７による映像出力例およびデジタル放送受信端末１００の外観図
【図５】第２の実施形態において電波状況が若干良くない場合の出力部１０７による映像出力例およびデジタル放送受信端末１００の外観図
【図６】第２の実施形態において電波状況が良くない場合の出力部１０７による映像出力例およびデジタル放送受信端末１００の外観図
【図７】第２の実施形態において電波を受信することができない場合の出力部１０７による映像出力例およびデジタル放送受信端末１００の外観図
【符号の説明】
【００３３】
５０    受信アンテナ
１００    デジタル放送受信端末
１０１    信号受信部
１０２    デマルチプレクサ
１０３    デコーダ部
１０４    エラー検出手段
１０５    エラー判定部
１０６    データ加工部
１０７    出力部
１５０    ＣＰＵ
１６０    タイマー
３００    デジタル放送受信端末
３０１    映像出力デバイス
３０２    受信アンテナ
３０３    操作キー
３０４    映像
３０５    情報パネル
４０４    映像
４０５    情報パネル
５０４    映像
５０５    情報パネル
６０４    映像
６０５    情報パネル
【図１】
2007208384.tif 000003
【図２】
2007208384.tif 000004
【図３】
2007208384.tif 000005
【図４】
2007208384.tif 000006
【図７】
2007208384.tif 000007
【図５】
2007208384.tif 000008
【図６】
2007208384.tif 000009